(57)【要約】【課題】前面フレームや光学シートへの熱流入を防止しつつ、画面の額縁部分を狭くする。【解決手段】液晶表示装置１は、液晶パネル３の背面側に配置される光学シート１０と、光学シート１０の背面側に設けられＬＥＤ基板１４ｂからの光を液晶パネル３に出射する導光板１２と、導光板１２の背面側に設けられたバックライトシャーシ９と、液晶パネル３の周囲に設けられた前面フレーム２ｃとを備える。液晶表示装置１は、光学シート１０の周縁部と導光板１２の周縁部との間に挿入され、光学シート１０と導光板１２との間に空気層１６を形成する中間シャーシ１１ｅと、バックライトシャーシ９の外側に設けられ、導光板１２の上下端に対向する位置にＬＥＤ基板１４ｂを保持し、ＬＥＤ基板１４ｂからの発熱を放熱させるヒートスプレッダ８ｂとを備え、中間シャーシ１１ｅは、前面フレーム２ｃとヒートスプレッダ８ｂとの間に延設された延設部１１１ｅを有する。【選択図】図７
2014092699.tif 000002
【特許請求の範囲】
【請求項１】
液晶パネルの背面側に配置される光学シートと、該光学シートの背面側に設けられ且つ光源からの光を前記液晶パネルに出射する導光板と、該導光板の背面側に設けられた背面シャーシと、前記液晶パネルの周囲に設けられた前面フレームとを備えた液晶表示装置であって、
前記光学シートの周縁部と前記導光板の周縁部との間に挿入され、前記光学シートと前記導光板との間に空気層を形成する中間シャーシと、
前記背面シャーシの外側に設けられ、前記導光板の上下端に対向する位置に前記光源を保持し、該光源からの発熱を放熱させる放熱部材とを備え、
前記中間シャーシは、前記前面フレームと前記放熱部材との間に延設された延設部を有することを特徴とする液晶表示装置。
【請求項２】
請求項１に記載の液晶表示装置において、前記前面フレーム及び前記放熱部材は、金属製であることを特徴とする液晶表示装置。
【請求項３】
請求項１または２に記載の液晶表示装置において、前記放熱部材は、フランジを有し、前記前面フレームと前記フランジとは、前記中間シャーシから延設された前記延設部を挟んで、前記前面フレームの背面側において固定部材により一体的に固定されていることを特徴とする液晶表示装置。
【請求項４】
請求項１〜３のいずれか１項に記載の液晶表示装置において、前記導光板の水平及び垂直方向の長さは、前記液晶パネルの水平及び垂直方向の長さ以下であることを特徴とする液晶表示装置。
【発明の詳細な説明】
【技術分野】
【０００１】
本発明は、液晶表示装置に関し、より詳細には、バックライト光源の発熱を放熱するための放熱構造を備えた液晶表示装置に関する。
【背景技術】
【０００２】
近年、薄型テレビ等の液晶表示装置の大画面化が進んでおり、画面サイズが、例えば、６０型、７０型、８０型といった製品が販売されている。このような液晶表示装置では、従来の蛍光管に代わり、ＬＥＤ（Light Emitting Diode）をバックライト光源としたものが主流になってきた。また、液晶表示装置の用途は、テレビに限らず、ＰＣ（パーソナルコンピュータ）のモニタや、デジタルサイネージ（電子看板）など、多様化しており、これに伴い、ＬＥＤについてもより高輝度（高出力）のものが要求されている。
【０００３】
上記の液晶表示装置においては、ＬＥＤの高輝度化に伴い、発熱量も増加するため、ＬＥＤの放熱対策を施す必要がある。例えば、特許文献１には、熱源となるＬＥＤを配置したＬＥＤ基板を、ヒートシンク（ヒートスプレッダともいう）と呼ばれるアルミ製の放熱部材に貼り付け、ＬＥＤの熱を放熱させる構造が記載されている。このようなヒートスプレッダを用いた従来の放熱構造について以下の図８に基づき説明する。
【０００４】
図８は、従来の放熱構造を持つ液晶表示装置の上端部分の断面を示す図で、図中、１００は液晶表示装置を示す。液晶表示装置１００は、装飾部材１０１、前面フレーム１０２、液晶パネル１０３、光学シート１０４、導光板１０５、反射シート１０６、背面シャーシ（バックライトシャーシともいう）１０７、ヒートスプレッダ１０８、及びＬＥＤ基板１０９を備える。前面フレーム１０２は、例えば、アルミニウム合金製であり、液晶パネル１０３の周囲にスペーサ部材Ｓ１１を挟んで配置され、液晶表示装置１００の前面キャビネットとして機能する。また、前面フレーム１０２の天面には装飾部材１０１が取り付けられている。
【０００５】
液晶パネル１０３の背面側には、光学シート１０４、導光板１０５、反射シート１０６がこの順番で設けられている。光学シート１０４は、導光板１０５から出射された光の均一化や、正面方向の輝度を向上させるなどの機能を有する。導光板１０５は、アクリルなどの透明な樹脂からなり、バックライト光源から入射された光を液晶パネル１０３に出射する。反射シート１０６は、バックライト光源から出射した光のうち、導光板１０５に入射しない光を反射して導光板１０５に入射させるなどの機能を有する。
【０００６】
ＬＥＤ基板１０９は、バックライト光源であるＬＥＤを配置した基板であり、ヒートスプレッダ１０８に両面テープ等により固定される。ヒートスプレッダ１０８は、例えば、断面Ｔ字形状のアルミニウム合金製であり、ＬＥＤを配置したＬＥＤ基板１０９を、導光板１０５の上下端に形成される入射面に対向する位置に固定する。また、ヒートスプレッダ１０８の背面側には、バックライトシャーシ１０７が設けられている。バックライトシャーシ１０７は、例えば、鉄製であり、ヒートスプレッダ１０８からの熱を背面側に放熱する機能を有する。
【０００７】
また、バックライトシャーシ１０７は、液晶パネル１０３の方向に凸であり、バックライトシャーシ１０７及び前面フレーム１０２により、液晶パネル１０３、光学シート１０４、導光板１０５、反射シート１０６が挟持され、これら各部材が密着した状態で固定される。具体的には、図８に示すように、バックライトシャーシ１０７がヒートスプレッダ１０８及びスペーサ部材Ｓ１２を挟んで前面フレーム１０２にネジ１１０により固定される。
【先行技術文献】
【特許文献】
【０００８】
【特許文献１】特開２００９−９８３１０号公報
【発明の概要】
【発明が解決しようとする課題】
【０００９】
近年のデザイン重視の設計により、前面フレーム１０２を樹脂ではなく、アルミニウム等の金属で形成した機種が増加している。このため、ＬＥＤで発熱した熱が前面フレーム１０２に伝わり、前面フレーム１０２が熱くなるという問題がある。具体的には、図８に示したように、前面フレーム１０２とヒートスプレッダ１０８とは接点Ｃで接しているため、ＬＥＤ基板１０９で発生した熱は、ヒートスプレッダ１０８から接点Ｃを介して前面フレーム１０２に伝わり、さらに、前面フレーム１０２から第１の抑え突起１０２ａを介して導光板１０５に伝わってしまう。このときの熱の伝わる経路を図８の点線で示す。
【００１０】
また、光学シート１０４を構成するレンズシートや輝度向上フィルムなどは、薄いシート状であり、熱による影響を受け易い。つまり、光学シート１０４は導光板１０５に密着しているため、導光板１０５から熱が伝わってしまい、シートを熱変形させてしまう可能性がある。このような光学シート１０４の熱変形は、液晶表示装置の表示品位を低下させる原因となるため、望ましくない。
【００１１】
また、前面フレーム１０２には、液晶パネル１０３の画面中央に向けて第１の押え突起１０２ａ，第２の押え突起１０２ｂが形成されている。第１の押え突起１０２ａは、導光板１０５及び反射シート１０６を、バックライトシャーシ１０７と前面フレーム１０２との間で挟持するために設けられている。また、第２の押え突起１０２ｂは、スペーサ部材Ｓ１１を介して、液晶パネル１０３、光学シート１０４、導光板１０５、及び反射シート１０６を、バックライトシャーシ１０７と前面フレーム１０２との間で挟持するために設けられている。
【００１２】
従って、図８に示すように、液晶パネル１０３は、第１の押え突起１０２ａが突出している分だけ、導光板１０５よりも中央寄りに配置しなくてはならないことが分かる。つまり、第１の押え突起１０２ａにより導光板１０５を保持するためには、導光板１０５の水平及び垂直方向の長さを、液晶パネル１０３の水平及び垂直方向の長さよりも長くする必要がある。そして、導光板１０５の水平及び垂直方向の長さが長くなると、これに伴い、液晶パネル１０３を挟持するための第２の押え突起１０２ｂを中央側に長くする必要がある。第２の押え突起１０２ｂを長くするということは、すなわち、液晶表示装置の所謂額縁部分（画面の周縁部分）が広くなることを意味する。
【００１３】
このように、従来の放熱構造では、前面フレームや光学シートへの熱流入の問題と、画面の額縁部分が広くなってしまうという問題があった。なお、上述の特許文献１に記載の放熱構造は、ＬＥＤ基板を保持するヒートシンクとアルミ製の第１のフレーム（前面フレーム）とが第２のフレーム（断熱部材）を介して固定されているが、ヒートシンクを保持するアルミ製の下シャーシと第１のフレーム（前面フレーム）とが直接接しているため、ヒートシンクの熱は下シャーシを介して第１のフレーム（前面フレーム）へ伝わってしまう。従って、上記のような問題を解決することはできない。
【００１４】
本発明は、上述のような実情に鑑みてなされたもので、前面フレームや光学シートへの熱流入を防止しつつ、画面の額縁部分を狭くできる放熱構造を備えた液晶表示装置を提供することを目的とする。
【課題を解決するための手段】
【００１５】
上記課題を解決するために、本発明の第１の技術手段は、液晶パネルの背面側に配置される光学シートと、該光学シートの背面側に設けられ且つ光源からの光を前記液晶パネルに出射する導光板と、該導光板の背面側に設けられた背面シャーシと、前記液晶パネルの周囲に設けられた前面フレームとを備えた液晶表示装置であって、前記光学シートの周縁部と前記導光板の周縁部との間に挿入され、前記光学シートと前記導光板との間に空気層を形成する中間シャーシと、前記背面シャーシの外側に設けられ、前記導光板の上下端に対向する位置に前記光源を保持し、該光源からの発熱を放熱させる放熱部材とを備え、前記中間シャーシは、前記前面フレームと前記放熱部材との間に延設された延設部を有することを特徴としたものである。
【００１６】
第２の技術手段は、第１の技術手段において、前記前面フレーム及び前記放熱部材は、金属製であることを特徴としたものである。
【００１７】
第３の技術手段は、第１または第２の技術手段において、前記放熱部材は、フランジを有し、前記前面フレームと前記フランジとは、前記中間シャーシから延設された前記延設部を挟んで、前記前面フレームの背面側において固定部材により一体的に固定されていることを特徴としたものである。
【００１８】
第４の技術手段は、第１〜第３のいずれか１の技術手段において、前記導光板の水平及び垂直方向の長さは、前記液晶パネルの水平及び垂直方向の長さ以下であることを特徴としたものである。
【発明の効果】
【００１９】
本発明によれば、光学シートと導光板との間に中間シャーシを挿入することで空気層を形成すると共に、この中間シャーシを放熱部材（ヒートスプレッダ）と前面フレームとの間に延設することにより、前面フレームや光学シートへの熱流入を防止しつつ、画面の額縁部分を狭くすることができる。
【図面の簡単な説明】
【００２０】
【図１】本発明による液晶表示装置の外観の一例を示す図である。
【図２】図１に示す液晶表示装置から背面キャビネットを取り外した状態を示す図である。
【図３】図１に示す液晶表示装置の内部構造を分解した状態の一例を示す図である。
【図４】図１に示す液晶表示装置の上端部分の断面を示す図である。
【図５】図１に示す液晶表示装置の下端部分を斜め後方から見た状態の一例を示す図である。
【図６】図１に示す液晶表示装置から背面キャビネットを取り外した状態を斜め後ろから見たときの図である。
【図７】図１に示す液晶表示装置の下端部分の断面を示す図である。
【図８】従来の放熱構造を持つ液晶表示装置の上端部分の断面を示す図である。
【発明を実施するための形態】
【００２１】
以下、添付図面を参照しながら、本発明の液晶表示装置に係る好適な実施の形態について説明する。
【００２２】
図１は、本発明による液晶表示装置の外観の一例を示す図である。図１（Ａ）は液晶表示装置を正面から見た状態を示し、図１（Ｂ）は液晶表示装置を背面から見た状態を示し、図１（Ｃ）は液晶表示装置を左側面から見た状態を示す。図中、１は液晶表示装置、２ａ〜２ｄは前面フレーム（前面キャビネット）、３は液晶パネル、４はスタンド（支持台）、５は背面キャビネット、６は電源コード引出部、７は操作ボタン部を示す。
【００２３】
図１において、液晶パネル３は、２枚のガラス基板間に液晶を挟持した構成を有し、液晶を構成する液晶分子の配向状態が制御されることで、導光板（図示せず）から出射された光の透過／遮断を制御する光シャッタとしての機能を有する。また、前面フレーム２ａ〜２ｄは、液晶パネル３の周囲に設けられ、前面キャビネットの金型製作費用を抑えるために、前面キャビネットを上下左右に４分割したフレーム構造とされている。前面フレーム２ａ〜２ｄは、デザイン性を高めるために、樹脂ではなく、例えば、アルミニウム合金などの金属製とされている。
【００２４】
樹脂製の背面キャビネット５は、液晶表示装置１を支持するスタンド４が取り付けられ、液晶表示装置１の内部から電源コードを引き出すための電源コード引出部６が形成されている。また、液晶表示装置１の左側面には、液晶表示装置１を操作するための操作ボタン部７が設けられている。
【００２５】
図２は、図１に示す液晶表示装置１から背面キャビネット５を取り外した状態を示す図である。背面キャビネット５を取り外した状態では、ヒートスプレッダ８ａ，８ｂと、背面シャーシ（以下、バックライトシャーシという）９と、センターシール及び補助金具枠組品９ａとが見えている。ヒートスプレッダ８ａ，８ｂは、ＬＥＤ光源の発熱を放熱するための放熱部材として機能し、例えば、放熱性能の高いアルミニウム合金製とされる。また、バックライトシャーシ９は、例えば、鉄などの金属で形成され、バックライトシャーシ９の背面上下端には、ヒートスプレッダ８ａ，８ｂが固定されている。センターシール及び補助金具枠組品９ａは、バックライトシャーシ９及びヒートスプレッダ８ａ，８ｂの背面側に固定されている。
【００２６】
ヒートスプレッダ８ａ，８ｂの上下方向の長さは、例えば、画面サイズが７０インチ、ヒートスプレッダ８ａ，８ｂの材質をアルミニウムとした場合で約１５０ｍｍとしている。この長さは、画面サイズに応じたＬＥＤの発熱量に対して、放熱に必要な面積を計算することで適宜決めることができる。また、ヒートスプレッダ８ａ，８ｂは、バックライトシャーシ９の背面に配置されるようにしたため、従来（図８）のものと比べ、放熱面積を大きくすることができる。このため、より高い放熱効果を得ることができる。
【００２７】
図３は、図１に示す液晶表示装置１の内部構造を分解した状態の一例を示す図である。液晶表示装置１は、前面キャビネットとして金属製の前面フレーム２ａ〜２ｄを備える。これら４つの前面フレーム２ａ〜２ｄは、４つのフレーム締結金具２ｅ１〜２ｅ４により１つのフレーム部材として組み立てられ、液晶パネル３の周囲に固定される。
【００２８】
液晶パネル３の背面側には、光学シート１０、導光板１２、及び反射シート１３がこの順番で設けられている。光学シート１０は、例えば、２枚のマイクロレンズシートと、１枚の輝度向上シートとで構成され、導光板１２から出射された光の均一化や、正面方向の輝度を向上させるなどの機能を有する。導光板１２は、アクリルなどの透明な樹脂で形成され、光源からの光を液晶パネル３に出射する。反射シート１３は、光源から出射した光のうち、導光板１２に入射しない光を反射して導光板１２に入射させるなどの機能を有する。
【００２９】
バックライトシャーシ９は、導光板１２及び反射シート１３の背面側に設けられ、これら導光板１２及び反射シート１３を保持する。ヒートスプレッダ８ａ，８ｂは、バックライトシャーシ９の外側に設けられ、導光板１２の上下端に形成される入射面に対向する位置に、ＬＥＤ光源を配置したＬＥＤ基板１４ａ，１４ｂを保持し、ＬＥＤ基板１４ａ，１４ｂからの発熱を放熱させる。なお、ヒートスプレッダ８ａ，８ｂと、ＬＥＤ基板１４ａ，１４ｂとは両面テープ等により固定される。
【００３０】
また、液晶表示装置１は、プラスチック（樹脂）、ゴム等で形成された中間シャーシ１１ａ〜１１ｆを備える。本例では中間シャーシを６分割としているが、例えば４分割としてもよく、特に分割数を限定するものではない。これら中間シャーシ１１ａ〜１１ｆは、光学シート１０の周縁部と導光板１２の周縁部との間に挿入される。
【００３１】
図４は、図１に示す液晶表示装置１の上端部分の断面を示す図である。液晶表示装置１（上部側）は、上述したように、前面フレーム２ａ、液晶パネル３、光学シート１０、中間シャーシ１１ａ、導光板１２、反射シート１３、バックライトシャーシ９、ヒートスプレッダ８ａ、及びＬＥＤ基板１４ａを備える。前面フレーム２ａと液晶パネル３との間、液晶パネル３と中間シャーシ１１ａとの間、中間シャーシ１１ａと光学シート１０との間、中間シャーシ１１ａと導光板１２との間には、それぞれウレタン等のスペーサ部材Ｓ１，Ｓ２，Ｓ３，Ｓ４が配置されている。なお、光学シート１０は、光学シート１０の周縁に沿って形成された複数の孔（図示せず）と、中間シャーシ１１ａ〜１１ｆに形成されたリブ（図示せず）とが嵌め合わされる形で固定される。
【００３２】
本発明の主たる目的は、前面フレームや光学シートへの熱流入を防止しつつ、画面の額縁部分を狭くすることにある。このための構成として、液晶表示装置１は、中間シャーシ１１ａと、ヒートスプレッダ８ａとを備える。中間シャーシ１１ａは、光学シート１０の周縁部と導光板１２の周縁部との間に挿入され、光学シート１０と導光板１２との間に空気層１６を形成する。この空気層１６の厚みは約３ｍｍ程度とされる。ヒートスプレッダ８ａは、バックライトシャーシ９の外側に設けられ、導光板１２の上下端に形成される入射面に対向する位置にＬＥＤ基板１４ａを保持し、ＬＥＤ基板１４ａからの発熱を放熱させる。そして、中間シャーシ１１ａは、前面フレーム２ａと、ヒートスプレッダ８ａとの間に延設された延設部１１１ａを有する。
【００３３】
より具体的には、ヒートスプレッダ８ａは、フランジ８１ａを有しており、前面フレーム２ａとヒートスプレッダ８ａのフランジ８１ａとは、中間シャーシ１１ａから延設された延設部１１１ａを挟んで、前面フレーム２ａの背面側においてネジ１５ａなどの固定部材により一体的に固定されている。なお、固定箇所については、例えば、液晶表示装置１の４隅が固定されるものとする。このようにネジ固定を背面から奥行き方向に行うことで、筐体の強度を確保することができ、さらには、ネジを隠すことができるため、デザイン性の観点からも望ましい。
【００３４】
ここで、熱源となるＬＥＤを配置したＬＥＤ基板１４ａでの発熱は、ヒートスプレッダ８ａにより放熱されるが、ヒートスプレッダ８ａをバックライトシャーシ９の外側に配置することで、導光板１２や光学シート１０などに熱が伝わり難くすることができる。なお、ヒートスプレッダ８ａとバックライトシャーシ９とは部分的に接触させることが望ましい。これにより、ヒートスプレッダ８ａからバックライトシャーシ９に伝わる熱を低減することが可能となる。
【００３５】
上記のように、中間シャーシ１１ａを光学シート１０と導光板１２との間に挿入することで、光学シート１０と導光板１２との間に空気層１６が形成される。そして、この空気層１６がＬＥＤ基板１４ａでの発熱を遮断する断熱層として機能するため、熱が光学シート１０に伝わり難くすることが可能となる。また、中間シャーシ１１ａには延設部１１１ａが形成され、ヒートスプレッダ８ａにはフランジ８１ａがそれぞれ形成されている。そして、中間シャーシ１１ａから延設された延設部１１１ａを、前面フレーム２ａとヒートスプレッダ８ａのフランジ８１ａとの間に挿入することで、ＬＥＤ基板１４ａでの発熱を前面フレーム２ａに伝わり難くすることが可能となる。すなわち、前面フレーム２ａとヒートスプレッダ８ａとはいずれも金属製であるため、これらの部材間に、熱伝導率の比較的低い中間シャーシ１１ａを挿入することで、ヒートスプレッダ８ａからの熱が前面フレーム２ａに伝わり難くなる。
【００３６】
また、前述の図８の放熱構造では、液晶パネル１０３、光学シート１０４、及び導光板１０５を密着固定するために、第１の押え突起１０２ａを必要としたが、図４の放熱構造では、中間シャーシ１１ａにより、光学シート１０と導光板１２とを離間させた非密着構造としたため、第１の押え突起１０２ａを不要にすることができる。そして、導光板１２は第１の押え突起１０２ａの代わりに中間シャーシ１１ａで保持されるため、導光板１２の水平及び垂直方向の長さを、液晶パネル３の水平及び垂直方向の長さ以下とすることが可能となる。そして、導光板１２の水平及び垂直方向の長さを短くすることにより、前面フレーム２ａの額縁に相当する部分の長さを短くできるため、画面の額縁部分を狭くすること（狭額縁化）が可能となる。
【００３７】
このように、中間シャーシ１１ａによって、光学シート１０と導光板１２とを離間させた非密着構造にすることにより、導光板１２の水平及び垂直方向の長さを液晶パネル３の水平及び垂直方向の長さ以下にすることができるため、画面の額縁部分を狭くすることができる。
【００３８】
図５は、図１に示す液晶表示装置１の下端部分を斜め後方から見た状態の一例を示す図である。なお、本例では４隅固定用のネジを省略している。液晶表示装置１（下部側）は、前面フレーム２ｃ、液晶パネル３、光学シート１０、中間シャーシ１１ｅ、導光板１２、反射シート１３、バックライトシャーシ９、ヒートスプレッダ８ｂ、及びＬＥＤ基板１４ｂを備える。基本的な構成は、図４で示した上端部分の構成と同様であり、前面フレーム２ｃと液晶パネル３との間、液晶パネル３と樹脂製フレーム１１ｅとの間、樹脂製フレーム１１ｅと光学シート１０との間、樹脂製フレーム１１ｃと導光板１２との間には、それぞれウレタン等のスペーサ部材Ｓ５，Ｓ６，Ｓ７，Ｓ８が配置されている。
【００３９】
図６は、図１に示す液晶表示装置１から背面キャビネット５を取り外した状態を斜め後ろから見たときの図である。図７（Ａ）は、図６のＸ部（液晶表示装置１の下端部分）を側方から見たときの断面図である。また、図７（Ｂ）は、図７（Ａ）のＹ部を拡大した拡大図である。図７において、１７は基板シールド、１８はソース基板、１９はソース基板ホルダを示す。なお、液晶表示装置１の上端部側には、基板シールド１７、ソース基板１８、ソース基板ホルダ１９がないものとする。
【００４０】
図７（Ａ）に示すように、ヒートスプレッダ８ｂは、バックライトシャーシ９にネジ１５ｃで固定される。なお、液晶表示装置１の上端部側についても略同様の構成を有している。すなわち、図７（Ａ）のヒートスプレッダ８ｂ（下部側）と、図４のヒートスプレッダ８ａ（上部側）とは、いずれもバックライトシャーシ９に背面からネジで固定されている。また、ヒートスプレッダ８ａ，８ｂには共に、より効率的な放熱を行うために、複数箇所に放熱フィンが形成されている。
【００４１】
図７（Ｂ）において、液晶表示装置１の上部側と同様に、中間シャーシ１１ｅを光学シート１０と導光板１２との間に挿入することで、光学シート１０と導光板１２との間に空気層１６が形成される。そして、この空気層１６がＬＥＤ基板１４ｂでの発熱を遮断する断熱層として機能するため、熱が光学シート１０に伝わり難くすることが可能となる。また、中間シャーシ１１ｅには延設部１１１ｅが形成され、ヒートスプレッダ８ｂにはフランジ８１ｂがそれぞれ形成されている。そして、中間シャーシ１１ｅから延設された延設部１１１ｅを、前面フレーム２ｃとヒートスプレッダ８ｂのフランジ８１ｂとの間に挿入することで、ＬＥＤ基板１４ｂでの発熱を前面フレーム２ｃに伝わり難くすることが可能となる。すなわち、前面フレーム２ｃとヒートスプレッダ８ｂとはいずれも金属製であるため、これらの部材間に、熱伝導率が比較的低い中間シャーシ１１ｅを挿入することで、ヒートスプレッダ８ｂからの熱が前面フレーム２ｃに伝わり難くなる。
【００４２】
また、前面フレーム２ｃと、ヒートスプレッダ８ｂのフランジ８１ｂとは、中間シャーシ１１ｅの延設部１１１ｅ、基板シールド１７を挟んで、前面フレーム２ｃの背面側においてネジ１５ｂなどの固定部材により一体的に固定されている。このようにネジ固定を背面から奥行き方向に行うことで、筐体の強度を確保することができる。
【００４３】
以上説明したように、本発明に係る液晶表示装置は、液晶パネルの背面側に配置される光学シートと、該光学シートの背面側に設けられ且つ光源からの光を前記液晶パネルに出射する導光板と、該導光板の背面側に設けられた背面シャーシと、前記液晶パネルの周囲に設けられた前面フレームとを備えた液晶表示装置であって、前記光学シートの周縁部と前記導光板の周縁部との間に挿入され、前記光学シートと前記導光板との間に空気層を形成する中間シャーシと、前記背面シャーシの外側に設けられ、前記導光板の上下端に対向する位置に前記光源を保持し、該光源からの発熱を放熱させる放熱部材とを備え、前記中間シャーシは、前記前面フレームと前記放熱部材との間に延設された延設部を有する。これにより、前面フレームや光学シートへの熱流入を防止しつつ、画面の額縁部分を狭くすることができる。
【００４４】
また、前記前面フレーム及び前記放熱部材は、金属製としてもよい。これにより、前面フレームを例えばアルミ製として、デザイン性を向上させた場合でも、前面フレーム及び光学シートへの熱流入をより効果的に防止することができる。
【００４５】
また、前記放熱部材は、フランジを有し、前記前面フレームと前記フランジとは、前記中間シャーシから延設された前記延設部を挟んで、前記前面フレームの背面側において固定部材により一体的に固定されるようにしてもよい。これにより、筐体の強度を確保することができ、さらには、ネジを隠すことができるため、デザイン性の向上を図ることができる。
【００４６】
また、前記導光板の水平及び垂直方向の長さは、前記液晶パネルの水平及び垂直方向の長さ以下としてもよい。これにより、画面の額縁部分を狭くすることができる。
【符号の説明】
【００４７】
１…液晶表示装置、２ａ〜２ｄ…前面フレーム、２ｅ１〜２ｅ４…フレーム締結金具、３…液晶パネル、４…スタンド、５…背面キャビネット、６…電源コード引出部、７…操作ボタン部、８ａ，８ｂ…ヒートスプレッダ、９…背面シャーシ（バックライトシャーシ）、９ａ…センターシール及び補助金具枠組品、１０…光学シート、１１ａ〜１１ｆ…中間シャーシ、１２…導光板、１３…反射シート、１４ａ，１４ｂ…ＬＥＤ基板、１５ａ〜１５ｃ…ネジ、１６…空気層、１７…基板シールド、１８…ソース基板、１９…ソース基板ホルダ、８１ａ，８１ｂ…フランジ、１１１ａ，１１１ｅ…延設部。
【図１】
2014092699.tif 000003
【図２】
2014092699.tif 000004
【図３】
2014092699.tif 000005
【図４】
2014092699.tif 000006
【図５】
2014092699.tif 000007
【図６】
2014092699.tif 000008
【図７】
2014092699.tif 000009
【図８】
2014092699.tif 000010